(57)【要約】  【課題】  洗浄機本体から洗浄槽を前後方向にスライドさせて出し入れする食器洗浄機において、洗浄槽を引き出したとき、洗浄槽が前下がりの状態にならないようにし、洗浄槽を押し込むときの操作性を軽くして使い勝手を向上する。  【解決手段】  前方を開口して箱状体に形成した洗浄機本体１３内に、上方を開口した洗浄槽１４をスライドレール１５により洗浄機本体１３の前方開口部から前後方向に出入自在に収容する。洗浄機本体１３の底面に設けた脚２２の前方に脚２２より低い凸部２３を設け、洗浄槽１４を引き出し、上方から荷重を加えたとき、荷重を支えるようにする。【選択図】  図１
2005052284.tif 000002
【特許請求の範囲】
【請求項１】
前方を開口して箱状体に形成した洗浄機本体と、スライドレールにより前記洗浄機本体の前方開口部から前後方向に出入自在に収容し上方を開口した洗浄槽とを備え、前記洗浄機本体の底面に設けた脚の前方に脚より低い凸部を設け、前記洗浄槽を引き出し、上方から荷重を加えたとき、荷重を支えるようにした食器洗浄機。
【請求項２】
前方を開口して箱状体に形成した洗浄機本体と、スライドレールにより前記洗浄機本体の前方開口部から前後方向に出入自在に収容し上方を開口した洗浄槽と、給水、排水の配管部を内蔵した前記洗浄機本体を設置する置き台とを備え、前記置き台の洗浄機本体設置面に、前記洗浄機本体の底面に設けた脚の前方に位置する箇所に脚より低い凸部を設けた食器洗浄機。
【請求項３】
置き台は、洗浄機本体を設置するとき、洗浄機本体の底面の脚より外側近傍に位置するように、洗浄機本体設置面の左右に前部から後部に向かって前記脚より低い凸部を設けた請求項２記載の食器洗浄機。
【発明の詳細な説明】
【技術分野】
【０００１】
本発明は、洗浄機本体から洗浄槽を前後方向にスライドさせて出し入れする食器洗浄機に関するものである。
【背景技術】
【０００２】
食器類を収容して洗浄する洗浄槽をスライドレールにより洗浄機本体から前後方向に出し入れするスライドオープン型の食器洗浄機は、キッチンキャビネットにビルトインして食器洗浄機を備えたシステムキッチンの構築に好適な形態である。
【０００３】
従来、この種の食器洗浄機は図５に示すように構成していた。以下、その構成について説明する。
【０００４】
図５に示すように、食器洗浄機本体１は、前方に開口部を有するとともに、スライドレール２を介して洗浄槽３を前後方向に移動可能に支持している。洗浄槽３は、上方に開口部を有し、洗浄槽３の前方に扉４を取り付けており、食器洗浄機本体１の開口部を開閉する。食器洗浄機本体１の上方に蓋体６を取り付け、この蓋体６は弾性体７によって食器洗浄機本体１と連結されている。食器洗浄機本体１の底面には脚８を取りつけている。
【０００５】
洗浄槽３内には、食器９を収容する食器かご１０を配置している。また、洗浄槽３内には、洗浄槽３内の洗浄水を加熱する加熱手段としてヒータ（図示せず）を設け、洗浄槽３の背面に洗浄ポンプ１１を設け、洗浄ノズル１２より洗浄水を噴射して食器かご１０に収容した食器９を洗浄するように構成している。
【０００６】
置き台１３は給水、排水等の配管を内蔵し、食器洗浄機本体１をこの置き台１３の上面に設置している（例えば、特許文献１参照）。
【特許文献１】特開２００１−６１７４６号公報
【発明の開示】
【発明が解決しようとする課題】
【０００７】
しかしながら、このような従来の構成では、洗浄槽３を洗浄機本体１から引き出すと、洗浄槽３内の食器９等の重さにより洗浄槽３が前下がりの状態になってしまう。これにより、洗浄槽３を洗浄機本体１内に押し込むとき、操作力に大きな力を必要とし、作業性が悪くなるという問題があった。
【０００８】
これは、洗浄槽３の引き出しストロークが大きくなればなるほど、この傾向は顕著に現れ、引き出しストロークを大きくして、食器９の出し入れ性をよくするという思いに反するものであった。
【０００９】
本発明は上記従来の課題を解決するもので、洗浄槽を引き出したとき、洗浄槽が前下がりの状態にならないようにし、洗浄槽を押し込むときの操作性を軽くして使い勝手を向上することを目的としている。
【課題を解決するための手段】
【００１０】
上記目的を達成するために、前方を開口して箱状体に形成した洗浄機本体内に、上方を開口した洗浄槽をスライドレールにより洗浄機本体の前方開口部から前後方向に出入自在に収容するよう構成し、洗浄機本体の底面に設けた脚の前方に脚より低い凸部を設け、洗浄槽を引き出し、上方から荷重を加えたとき、荷重を支えるようにしたものである。
【００１１】
これにより、洗浄槽を引き出したとき、洗浄槽が前下がりの状態にならないようにでき、洗浄槽を押し込むときの操作性を軽くすることができ、使い勝手を向上することができる。
【発明の効果】
【００１２】
以上のように本発明の請求項１に記載の発明によれば、洗浄機本体の底面に設けた脚の前方に脚より低い凸部を設け、洗浄槽を引き出し、上方から荷重を加えたとき、荷重を支えるようにしたから、洗浄槽を引き出したとき、洗浄槽が前下がりの状態にならないようにでき、洗浄槽を押し込むときの操作性を軽くすることができ、使い勝手を向上することができる。
【発明を実施するための最良の形態】
【００１３】
本発明の請求項１に記載の発明は、前方を開口して箱状体に形成した洗浄機本体と、スライドレールにより前記洗浄機本体の前方開口部から前後方向に出入自在に収容し上方を開口した洗浄槽とを備え、前記洗浄機本体の底面に設けた脚の前方に脚より低い凸部を設け、前記洗浄槽を引き出し、上方から荷重を加えたとき、荷重を支えるようにしたものであり、洗浄槽を洗浄機本体から引き出したとき、洗浄槽内の食器等の重さを含む洗浄槽全体の重さがスライドレールを介して、洗浄機本体に加わり、洗浄機本体は底面に設けた脚により支えているが、洗浄槽が引き出された状態では、重心が前に移動しているためすべての荷重は前脚に加わることになり、洗浄機本体の底面の脚近傍が荷重に耐えられなくなる。このとき、洗浄機本体の底面に脚より前方に凸部を設けることにより、洗浄槽の荷重により洗浄機本体の底面が少し変形すると、凸部により荷重を支えることができ、洗浄槽の前下がりを防止でき、洗浄槽を押し込むときも、大きな力を必要とせず、操作性を軽くすることができ、使い勝手を向上することができる。
【００１４】
請求項２に記載の発明は、前方を開口して箱状体に形成した洗浄機本体と、スライドレールにより前記洗浄機本体の前方開口部から前後方向に出入自在に収容し上方を開口した洗浄槽と、給水、排水の配管部を内蔵した前記洗浄機本体を設置する置き台とを備え、前記置き台の洗浄機本体設置面に、前記洗浄機本体の底面に設けた脚の前方に位置する箇所に脚より低い凸部を設けたものであり、洗浄槽を洗浄機本体から引き出したとき、洗浄槽内の食器等の重さを含む洗浄槽全体の重さがスライドレールを介して、洗浄機本体に加わり、洗浄機本体は底面に設けた脚により支えているが、洗浄槽が引き出された状態では、重心が前に移動しているためすべての荷重は前脚に加わることになり、洗浄機本体の底面の脚近傍が荷重に耐えられなくなる。このとき、置き台の洗浄機本体設置面に、洗浄機本体の底面に設けた脚の前方に位置する箇所に脚より低い凸部を設けることにより、洗浄槽の荷重により洗浄機本体の底面が少し変形すると、置き台に設けた凸部に当たり、それ以上底面が変形するのを防止できて、洗浄槽の前下がりを防止でき、洗浄槽を押し込むときも、大きな力を必要とせず、操作性を軽くすることができ、使い勝手を向上することができる。
【００１５】
請求項３に記載の発明は、上記請求項２に記載の発明において、置き台は、洗浄機本体を設置するとき、洗浄機本体の底面の脚より外側近傍に位置するように、洗浄機本体設置面の左右に前部から後部に向かって前記脚より低い凸部を設けたものであり、洗浄槽を洗浄機本体から引き出したとき、洗浄槽内の食器等の重さを含む洗浄槽の荷重により洗浄機本体の底面の変形を置き台に設けた凸部により防止できて、洗浄槽の前下がりを防止でき、洗浄槽を押し込むときも、大きな力を必要とせず、操作性を軽くすることができ、使い勝手を向上することができるとともに、置き台の洗浄機本体設置面上に設けた凸部は前から後ろに向かって設けているため、洗浄機本体を置き台に設置するときのガイドの役割も果たすことになり、食器洗浄機の設置性を向上することができる。
【実施例】
【００１６】
以下、本発明の実施例について、図面を参照しながら説明する。
【００１７】
（実施例１）
図１に示すように、洗浄機本体１３は、前方を開口して箱状体に形成し、この洗浄機本体１３内に、上方を開口した洗浄槽１４をスライドレール１５により洗浄機本体１３の前方開口部から前後方向に出入自在に収容し、図示する引き出し終端位置まで引き出しできるように構成している。図１に示す設置状態は、上面にカウンタートップ１６を設けたキッチンキャビネットにビルトインした実施例を示すものである。この食器洗浄機本体１３は、図示するようにキッチンキャビネット内にビルトインするのが基本的な設置形態であるが、洗浄機本体１３を設置場所の台上に固定して使用することもできる。
【００１８】
洗浄槽１４は、樹脂成形によって形成しており、前面にドアパネル１７を取り付けいる。洗浄槽１４の底面に洗浄ノズル１８、ヒータ（図示せず）を配設している。その上方に食器類を収容する食器かご１９を着脱可能に配置している。また、洗浄槽１４の後面には、洗浄ノズル１８から洗浄水を噴射させる洗浄ポンプ（図示せず）や、洗浄槽１４内に給排水する構成要素を配設している。
【００１９】
また、スライドレール１５は、洗浄機本体１３の両側面の内面側に固定した固定レール１５ａと、洗浄槽１４の両側面の外面側に固定した可動レール１５ｂとの間に、両レールにボールベアリングを介して中間レール１５ｃを嵌挿した３段構造に構成している。置き台２０は洗浄機本体１３を設置するものであり、後部に固定金具２１を取りつけており、洗浄槽１４を引き出したとき洗浄機本体１３が前面に転倒しないように洗浄機本体１３の後部を保持している。
【００２０】
洗浄機本体１３の底面には、図２に示すように、脚２２を４箇所設けている。また、脚２２の前方に凸部２３を洗浄機本体１３の底面に設けらいる。この凸部２３の高さは脚２２より低く設定している。この凸部２３は洗浄機本体１３の底面を絞り加工して構成している。
【００２１】
上記構成において動作を説明する。洗浄槽１４に食器をセットするため洗浄槽１４をを引き出すと、洗浄槽１４内の食器等の重さが洗浄槽１４を固定しているスライドレール１５を介して、洗浄機本体１３に加わることになる。洗浄槽１４の重心が前方に移動しているため、洗浄機本体１３を前に転倒させる力が働くが、洗浄機本体１３の後部を固定金具２１で支持しているため、洗浄機本体１３に加わった荷重は底面に設けた前側の脚２２に大きな荷重となって加わることになり、洗浄機本体１３の底面の脚２２近傍が変形するほどの荷重を受けることになる。
【００２２】
このとき、前側の脚２２に大きな荷重を受けると、洗浄機本体１３の底面の脚２２の近傍が少し変形し、脚２２が洗浄機本体１３の底面に食い込むような状態になろうとする。ここで、洗浄機本体１３の底面の脚２２より前方に凸部２３を設けることにより、洗浄機本体１３底面の脚２２近傍が少し変形すると、脚２２より前方に設けた凸部２３が置き台２０の上面にあたり、洗浄機本体１３を脚２２とこの凸部２３とで支え、洗浄機本体１３の底面の変形を防止することができる。これにより、洗浄槽１４が前下がりになるのを防止できる。
【００２３】
このような変形は、洗浄槽１４の引き出しストロークが大きければ大きいほど、前側の脚２２が受ける荷重は大きくなり、洗浄槽１４が前下がりになる寸法は大きくなる。
【００２４】
このように洗浄槽１４が前下がりの状態になると、洗浄槽１４を洗浄機本体１３内に押し込むときにスライドレール１５に斜めの力が加わり、操作力が大きくなってしまい、操作性が悪くなってしまうが、これを防止することができ、洗浄槽１４を軽い力で操作することができる。
【００２５】
このように本実施例によれば、洗浄機本体１３の底面に設けた脚２２の前方に脚２２より低い凸部２３を設け、洗浄槽１４を引き出し、上方から荷重を加えたとき、荷重を支えるようにしたので、洗浄槽１４を洗浄機本体１６から引き出したとき、洗浄槽１４の荷重により洗浄機本体１３の底面が少し変形すると、凸部２３により荷重を支えることができ、洗浄槽１４の前下がりを防止でき、洗浄槽１４を押し込むときも、大きな力を必要とせず、操作性を軽くすることができ、使い勝手を向上することができる。
【００２６】
（実施例２）
図３に示すように、置き台２４は、洗浄機本体（図示していないが上記実施例１と同様に構成したものである）を設置するもので、内部に洗浄機本体への給水、排水の配管（図示せず）を設けている。この置き台２４の上面（洗浄機本体設置面）２５の前方に凸部２６を設け、この凸部２６の高さは洗浄機本体の底面に設けた脚より低くしている。また、洗浄機本体を設置したとき、洗浄機本体の前側の脚より凸部２６が前方に位置するように設けている（洗浄機本体を置き台に設置したときの脚２２の位置は、置き台２４の上面に破線で描いている）。他の構成は上記実施例１と同じである。
【００２７】
上記構成において動作を説明する。上記実施例１と同様に、洗浄槽に食器をセットするため洗浄槽をを引き出すと、洗浄槽内の食器等の重さが洗浄槽を固定しているスライドレールを介して、洗浄機本体に加わり、洗浄機本体に加わった荷重は底面に設けた前側の脚２２に大きな荷重となって加わる。このとき、前側の脚２２に大きな荷重を受けると、洗浄機本体の底面の脚２２の近傍が少し変形し、脚２２が洗浄機本体の底面に食い込む状態になり、置き台２４の上面２５と洗浄機本体の底面との隙間が小さくなり、置き台２４の上面２５に設けた凸部２６に当たるようになる。
【００２８】
これにより洗浄機本体の底面は、前側の脚と置き台２４上に設けた凸部２６で支えるようになり、洗浄機本体の底面の変形を防止することができ、洗浄槽が前下がりになるのを防止できる。
【００２９】
このように本実施例によれば、置き台２４の上面２５に洗浄機本体の底面に設けた脚の前方に位置する箇所に脚より低い凸部２６を設けたので、洗浄槽を洗浄機本体から引き出したとき、洗浄槽の荷重により洗浄機本体の底面が少し変形すると、置き台２４に設けた凸部２６に当たり、それ以上底面が変形するのを防止できて、洗浄槽の前下がりを防止でき、洗浄槽を押し込むときも、大きな力を必要とせず、操作性を軽くすることができ、使い勝手を向上することができる。
【００３０】
（実施例３）
図４に示すように、置き台２７は、洗浄機本体（図示していないが上記実施例１と同様に構成したものである）を設置するもので、内部に洗浄機本体への給水、排水の配管（図示せず）を設けている。この置き台２４の上面（洗浄機本体設置面）２８に前部から後部に向かっては凸部２９を左右両側に設けている。この凸部２９の高さは洗浄機本体の底面に設けた脚より低くしている。また、洗浄機本体を設置したとき、洗浄機本体の前側の脚より凸部２９の端が前方に位置するように設けている（洗浄機本体を置き台２７に設置したときの脚２２の位置は、置き台２７の上面に破線で描いている）。
【００３１】
上記構成において動作を説明する。上記実施例１と同様に、洗浄槽に食器をセットするため洗浄槽をを引き出すと、洗浄槽内の食器等の重さが洗浄槽を固定しているスライドレールを介して、洗浄機本体に加わり、洗浄機本体に加わった荷重は底面に設けた前側の脚２２に大きな荷重となって加わる。このとき、前側の脚２２に大きな荷重を受けると、洗浄機本体の底面の脚２２の近傍が少し変形し、脚２２が洗浄機本体の底面に食い込む状態になり、置き台２７の上面２８と洗浄機本体の底面との隙間が小さくなり、置き台２７の上面２８に設けた凸部２９に当たるようになる。
【００３２】
これにより洗浄機本体の底面は、前側の脚と置き台２７上に設けた凸部２９で支えるようになり、洗浄機本体の底面の変形を防止することができ、洗浄槽が前下がりになるのを防止できる。
【００３３】
また、洗浄機本体を置き台２７に設置する場合、洗浄機本体の後側の脚２２を置き台２７の凸部２９の内側に乗せ、そのまま押し込めば、脚２２が凸部２９をガイドにして押し込まれ、置き台２７に対して洗浄機本体が斜めになることなく、真っ直ぐ設置することができる。
【００３４】
このように本実施例によれば、置き台２７は、洗浄機本体を設置するとき、洗浄機本体の底面の脚２２より外側近傍に位置するように、上面２８の左右に前部から後部に向かって脚２２より低い凸部２９を設けたので、洗浄槽を洗浄機本体から引き出したとき、洗浄槽内の食器等の重さを含む洗浄槽の荷重により洗浄機本体の底面の変形を置き台２７に設けた凸部２９により防止できて、洗浄槽の前下がりを防止でき、洗浄槽を押し込むときも、大きな力を必要とせず、操作性を軽くすることができ、使い勝手を向上することができるとともに、置き台２７上に設けた凸部２９は前から後ろに向かって設けているため、洗浄機本体を置き台２７に設置するときのガイドの役割も果たすことになり、食器洗浄機の設置性を向上することができる。
【図面の簡単な説明】
【００３５】
【図１】本発明の第１の実施例の食器洗浄機の縦断面図
【図２】同食器洗浄機の要部拡大側面図
【図３】本発明の第２の実施例の食器洗浄機の置き台の斜視図
【図４】本発明の第３の実施例の食器洗浄機の置き台の斜視図
【図５】従来の食器洗浄機の縦断面図
【符号の説明】
【００３６】
１３  洗浄機本体
１４  洗浄槽
１５  スライドレール
２２  脚
２３  凸部
【図１】
2005052284.tif 000003
【図２】
2005052284.tif 000004
【図３】
2005052284.tif 000005
【図４】
2005052284.tif 000006
【図５】
2005052284.tif 000007